(57)【要約】【課題】国または地域によって変調方式が異なる場合にも、これらの国または地域間で、記録可能なディスクを円滑に流通させ得る光ディスク装置および情報記録方法を提供する。【解決手段】記録データをＥＴＭ（Eight to Twelve Modulation）に従って変調する第１の変調回路２０３ａと、記録データをＦＳＭ（Four to Six Modulation）に従って変調する第２の変調回路２０３ｂを備える。ユーザは、入力ＩＦ２１３を介して、第１の変調回路２０３ａと第２の変調回路２０３ｂの何れを用いて記録を行うかを任意に選択できる。コントローラ２１５は、ＦＳＭに従って記録が行われたとき、その旨を識別するための識別情報を含めてデータリードイン情報を生成し、データリードイン領域１４ａに書込む。【選択図】図１
2009238321.tif 000002
【特許請求の範囲】
【請求項１】
第１の変調方式に従ってシステムリードイン情報が変調されて記録された光ディスクに対し記録を行う光ディスク装置において、
記録すべき情報を前記第１の変調方式とは異なる第２の変調方式に従って変調する変調部と、
データリードイン情報を生成するデータリードイン情報生成部と、を備え、
前記データリードイン情報生成部は、前記第２の変調方式に従って記録が行われたことを識別するための識別情報を含めて前記データリードイン情報を生成する、
ことを特徴とする光ディスク装置。
【請求項２】
請求項１において、
前記変調部は、
記録すべき情報を前記第１の変調方式に従って変調する第１の変調部と、
記録すべき情報を前記第１の変調方式とは異なる第２の変調方式に従って変調する第２の変調部とを具備し、
前記第１の変調部と前記第２の変調部の何れを用いて記録を行うかを選択するための選択入力部をさらに備え、
前記データリードイン情報生成部は、前記第２の変調方式に従って記録が行われたとき、その旨を識別するための識別情報を含めて前記データリードイン情報を生成する、
ことを特徴とする光ディスク装置。
【請求項３】
請求項１または２において、
前記データリードイン情報生成部は、前記システムリードイン情報中の一部の情報をコピーして前記データリードイン情報を生成する際に、当該一部の情報中の変調方式に関する情報を、前記第２の変調方式に対応する情報に書き換える、
ことを特徴とする光ディスク装置。
【請求項４】
請求項１または２において、
前記データリードイン情報生成部は、前記システムリードイン情報中の一部の情報をコピーして前記データリードイン情報を生成する際に、当該一部の情報中の空き領域に、前記識別情報を含める、
ことを特徴とする光ディスク装置。
【請求項５】
請求項１または２において、
前記データリードイン情報生成部は、前記データリードイン情報中の空き領域に、前記識別情報を含める、
ことを特徴とする光ディスク装置。
【請求項６】
第１の変調方式に従ってシステムリードイン情報が変調され記録された光ディスクに記録を行う情報記録方法において、
記録すべき情報を前記第１の変調方式とは異なる第２の変調方式に従って変調し、
前記第２の変調方式に従って変調された情報を前記光ディスクに記録し、
前記第２の変調方式に従って記録が行われたことを識別するための識別情報を含めて前記データリードイン情報を生成し、
生成された前記データリードイン情報を前記光ディスクに記録する、
とのステップを有する、
ことを特徴とする情報記録方法。
【請求項７】
請求項６において、
前記データリードイン情報を生成するステップは、前記システムリードイン情報中の一部の情報をコピーして前記データリードイン情報を生成する際に、当該一部の情報中の変調方式に関する情報を、前記第２の変調方式に対応する情報に書き換える、
ことを特徴とする情報記録方法。
【請求項８】
請求項６において、
前記データリードイン情報を生成するステップは、前記システムリードイン情報中の一部の情報をコピーして前記データリードイン情報を生成する際に、当該一部の情報中の空き領域に、前記識別情報を含める、
ことを特徴とする情報記録方法。
【請求項９】
請求項６において、
前記データリードイン情報を生成するステップは、前記データリードイン情報中の空き領域に、前記識別情報を含める、
ことを特徴とする情報記録方法。
【請求項１０】
第１の変調方式に従ってシステムリードイン情報が変調され記録された光ディスクに対し再生を行う光ディスク装置において、
第１の復調方式に従って復調を行う第１の復調部と、
第１の復調方式とは異なる第２の復調方式に従って復調を行う第２の復調部と、
前記第１の復調部と前記第２の復調部を用いてデータリードイン情報を復調したときの復調結果に基づいて前記第１の復調部または前記第２の復調部の何れか一方を再生用として選択する選択制御部とを備える、
ことを特徴とする光ディスク装置。
【請求項１１】
請求項１０において、
前記データリードイン情報には、前記第２の復調方式に対応する変調方式に従って記録が行われたかを識別するための識別情報が含められており、
前記選択制御部は、前記第２の復調部を用いてデータリードイン情報を復調でき、且つ、復調した前記データリードイン情報中に前記第２の復調方式に対応する変調方式に従って記録が行われたことを識別するための識別情報が含まれている場合に、前記第２の復調部を再生用として選択する、
ことを特徴とする光ディスク装置。
【発明の詳細な説明】
【技術分野】
【０００１】
本発明は、記録可能な光ディスクに対して記録／再生を行う光ディスク装置および当該光ディスクに記録を行うための情報記録方法に関し、特に、光ディスクの記録方式が国または地域によって異なる場合に用いて好適なものである。
【背景技術】
【０００２】
近年、大容量の記録媒体としてＨＤＤＶＤ（High-Definition Digital Versatile Disc：以下、「ＨＤ」という）の商品化が進められている。ＨＤの記録方式は、大半の国において統一されつつあるが、一部の国では、独自の記録方式が用いられる可能性がある。
【０００３】
たとえば、通常のＨＤ規格では、記録信号の変調方式としてＥＴＭ（８−１２変調：Eight to Twelve Modulation）が用いられるが、中国では、再生専用型ＨＤ（ＨＤ−ＲＯＭ：Read Only Memory）の変調方式として、ＦＳＭ（４−６変調：Four to Six Modulation）が採用されている。このため、中国でのＨＤ規格（以下、「ＣＨＤ規格」という）では、追記型ＨＤ（ＨＤ−Ｒ：Recordable）や書き換え可能型ＨＤ（ＨＤ−ＲＷ：Rewritable）についても、記録信号の変調方式としてＦＳＭが採用される可能性がある。
【０００４】
この場合、中国国内のＨＤ−ＲやＨＤ−ＲＷでは、システムリードイン情報も、ＦＳＭにて変調されてプリレコードされる可能性が高い。しかし、こうなると、たとえば、日本でＨＤに情報を記録して中国に送るような場合に、わざわざ中国国内で流通しているＨＤ−ＲやＨＤ−ＲＷを入手する必要がある。
【０００５】
これに対し、日本国内で流通しているＨＤ−ＲやＨＤ−ＲＷにＦＳＭを用いて情報を記録して中国に送る方法も考えられる。しかし、こうしても、システムリードイン情報が、通常のＨＤ規格によるＥＴＭにて変調されているため、中国国内のプレーヤでは、システムリードイン情報を適正に再生することができない。この場合、プレーヤによっては、システムリードイン情報を再生できなくてもデータリードイン情報が再生できれば、当該ディスクに対する再生を行うものも存在する。しかし、このようにデータリードイン情報が再生できたとしても、その中の情報が不適正であると、その後の再生が拒否される可能性がある。
【０００６】
たとえば、ＣＨＤ規格には、通常のＨＤ規格とは異なるブックバージョンが割り当てられている。このブックバージョンは、ＨＤ上のＢＣＡ（Burst Cutting Area）情報やシステムリードイン情報に含められている。通常、システムリードイン情報中のブックバージョンは、そのまま、データリードイン情報にコピーされる。このため、上記のように中国国内のプレーヤにてデータリードイン情報が再生されると、システムリードイン情報中のブックバージョンと同じブックバージョンがプレーヤによって取得されることになる。
【０００７】
しかし、こうして取得されたブックバージョンは、日本に適用される通常のＨＤ規格に対応したブックバージョンであって、ＣＨＤ規格に対応するブックバージョンとはなっていない。このため、プレーヤは、このようにデータリードイン情報が再生できたとしても、ブックバージョンが自国のブックバージョンに整合しないために、当該ディスクは不適正なディスクであるとして、再生を拒否する可能性がある。
【特許文献１】特開２００７−２２０２９４号公報
【発明の開示】
【発明が解決しようとする課題】
【０００８】
本発明は、上記の点に鑑みてなされたものであり、国または地域によって変調方式が異なる場合にも、これらの国または地域間で、記録可能なディスクを円滑に流通させ得る光ディスク装置および情報記録方法を提供することを目的とする。
【課題を解決するための手段】
【０００９】
本発明の第１の態様は、第１の変調方式に従ってシステムリードイン情報が変調されて記録された光ディスクに対し記録を行う光ディスク装置において、記録すべき情報を前記第１の変調方式とは異なる第２の変調方式に従って変調する変調部と、データリードイン情報を生成するデータリードイン情報生成部とを備え、前記データリードイン情報生成部は、前記第２の変調方式に従って記録が行われたことを識別するための識別情報を含めて前記データリードイン情報を生成することを特徴とする。
【００１０】
この態様によれば、第１の変調方式に従ってシステムリードイン情報が変調されて記録された光ディスクに対しても、第１の変調方式とは異なる第２の変調方式にて情報を記録することができる。そして、第２の変調方式に従って記録が行われたことを識別するための識別情報がデータリードイン情報に含められてディスクに記録されるため、当該ディスクが、第２の変調方式に従う他国のプレーヤによって再生される場合にも、このプレーヤによってデータリードイン情報が再生されれば、その中に含まれる識別情報から、当該ディスクが第２の変調方式に従って記録されたものであることが、当該プレーヤによって確認され得る。したがって、当該プレーヤは、その後の再生動作を、拒否することなく円滑に進めることができる。
【００１１】
このように、第１の態様によれば、第２の変調方式に従う他国のプレーヤにおいても円滑に再生を進めることが可能となるため、情報を記録したディスクを他国に送るような場合にも、自国で普及しているディスク、すなわち、第１の変調方式によりシステムリードイン情報が変調されて記録された光ディスクを用いることができる。よって、変調方式が異なる自国−他国間で、光ディスクを円滑に流通させることができるようになる。
【００１２】
本発明の第２の態様は、第１の態様に係る光ディスク装置において、前記変調部は、記録すべき情報を前記第１の変調方式に従って変調する第１の変調部と、記録すべき情報を前記第１の変調方式とは異なる第２の変調方式に従って変調する第２の変調部とを具備し、前記第１の変調部と前記第２の変調部の何れを用いて記録を行うかを選択するための選択入力部をさらに備え、前記データリードイン情報生成部は、前記第２の変調方式に従って記録が行われたとき、その旨を識別するための識別情報を含めて前記データリードイン情報を生成することを特徴とする。
【００１３】
この態様によれば、ユーザは、記録に用いる変調方式を、第１の変調方式と第２の変調方式との間で任意に選択することができる。そして、第２の変調方式に従って記録が行われた場合には、その旨を識別するための識別情報がデータリードイン情報に含められてディスクに記録される。このため、当該ディスクが、第２の変調方式に従う他国のプレーヤによって再生される場合にも、このプレーヤによってデータリードイン情報が再生されれば、その中に含まれる識別情報から、当該ディスクが第２の変調方式に従って記録されたものであることが、当該プレーヤによって確認され得る。したがって、当該プレーヤは、その後の再生動作を、拒否することなく円滑に進めることができる。
【００１４】
本発明の第３の態様は、第１または第２の態様に係る光ディスク装置において、前記データリードイン情報生成部は、前記システムリードイン情報中の一部の情報をコピーして前記データリードイン情報を生成する際に、当該一部の情報中の変調方式に関する情報を、前記第２の変調方式に対応する情報に書き換えることを特徴とする。
【００１５】
この態様によれば、システムリードイン情報中の変調方式に関する情報が第２の変調方式に対応する情報に書き換えられてデータリードイン情報に含められる。このため、当該ディスクのデータリードイン情報から取得された変調方式は、必ず、当該ディスクの記録に用いた変調方式（第２の変調方式）に整合するものとなる。よって、当該ディスクが、第２の変調方式に従う他国のプレーヤによって再生される場合にも、データリードイン情報中の変調方式が自国のものと相違することを理由に、その後の再生動作が拒否されることはなく、当該ディスクは、第２の変調方式に従う他国のプレーヤによって、円滑に、その再生が行われる。
【００１６】
たとえば、この態様では、ＨＤ−ＲまたはＨＤ−ＲＷに対しＦＳＭ（第２の変調方式）に従って情報が記録されると、システムリードイン情報がデータリードイン情報にコピーされる際に、ブックバージョン（変調方式に関する情報）がＣＨＤ規格に対応するブックバージョン（変調方式に関する情報）に書き換えられる。こうして記録が行われたディスクが中国国内のプレーヤによって再生されると、データリードインから取得されたブックバージョンは、必ず、ＣＨＤ規格のブックバージョンに整合することとなる。このため、ブックバージョンが不適正であることを理由に、その後の再生動作が拒否されることはなく、当該ディスクは、中国国内のプレーヤによって、円滑に、その再生が行われる。
【００１７】
本発明の第４の態様は、第１または第２の態様に係る光ディスク装置において、前記データリードイン情報生成部は、前記システムリードイン情報中の一部の情報をコピーして前記データリードイン情報を生成する際に、当該一部の情報中の空き領域に、前記識別情報を含めることを特徴とする。
【００１８】
本発明の第５の態様は、第１または第２の態様に係る光ディスク装置において、前記データリードイン情報生成部は、前記データリードイン情報中の空き領域に、前記識別情報を含めることを特徴とする。
【００１９】
第４および第５の態様によれば、空き領域に含められた識別情報によって、当該ディスクが第２の変調方式に従って記録されたものであることが、プレーヤにおいて確認され得る。よって、たとえば、データリードイン情報から取得されたブックバージョンが自国のブックバージョンと異なるような場合にも、プレーヤは、当該識別情報から、当該ディスクが特に第２の変調方式に従って記録されたものであることを識別することができ、その後の再生を、拒否することなく進めることができる。
【００２０】
本発明の第６の態様は、第１の変調方式に従ってシステムリードイン情報が変調され記録された光ディスクに記録を行う情報記録方法において、記録すべき情報を前記第１の変調方式とは異なる第２の変調方式に従って変調し、前記第２の変調方式に従って変調された情報を前記光ディスクに記録し、前記第２の変調方式に従って記録が行われたことを識別するための識別情報を含めて前記データリードイン情報を生成し、生成された前記データリードイン情報を前記光ディスクに記録するとのステップを有することを特徴とする。
【００２１】
本発明の第７の態様は、第６の態様に係る情報記録方法において、前記データリードイン情報を生成するステップは、前記システムリードイン情報中の一部の情報をコピーして前記データリードイン情報を生成する際に、当該一部の情報中の変調方式に関する情報を、前記第２の変調方式に対応する情報に書き換えることを特徴とする。
【００２２】
本発明の第８の態様は、第６の態様に係る情報記録方法において、前記データリードイン情報を生成するステップは、前記システムリードイン情報中の一部の情報をコピーして前記データリードイン情報を生成する際に、当該一部の情報中の空き領域に、前記識別情報を含めることを特徴とする。
【００２３】
本発明の第９の態様は、第６の態様に係る情報記録方法において、前記データリードイン情報を生成するステップは、前記データリードイン情報中の空き領域に、前記識別情報を含めることを特徴とする。
【００２４】
第６ないし第９の態様は、上記第１ないし第５の態様における記録上の特徴のうち第２の変調方式による特徴を記録方法として抽出したものである。よって、これら第６ないし第９の態様によれば、上記第１ないし第５の態様と同様の効果を奏することができる。
【００２５】
本発明の第１０の態様は、第１の変調方式に従ってシステムリードイン情報が変調され記録された光ディスクに対し再生を行う光ディスク装置において、第１の復調方式に従って復調を行う第１の復調部と、第１の復調方式とは異なる第２の復調方式に従って復調を行う第２の復調部と、前記第１の復調部と前記第２の復調部を用いてデータリードイン情報を復調したときの復調結果に基づいて前記第１の復調部または前記第２の復調部の何れか一方を再生用として選択する選択制御部とを備えることを特徴とする。
【００２６】
この態様によれば、光ディスクに対して、第１の復調方式に対応する変調方式（第１の変調方式）と第２の復調方式に対応する変調方式（第２の変調方式）の何れによってユーザ情報の記録が行われていても、当該ディスクを円滑に再生することができる。通常、ユーザ情報はデータリードイン情報と同じ変調方式にて変調されてディスクに記録される。したがって、データリードイン情報を第１の復調部と第２の復調部の何れかにより復調できれば、復調できた方の復調部を用いて、当該ディスクに対するその後の再生動作（ユーザ情報の再生）を円滑に進めることができる。よって、たとえば、通常規格に従うＨＤ−ＲまたはＨＤ−ＲＷに対しＥＴＭ（第１の変調方式）とＦＳＭ（第２の変調方式）の何れによって記録が行われていたとしても、当該ディスクを円滑に再生することができる。このため、記録側では、通常規格に従うＨＤ−ＲまたはＨＤ−ＲＷに対して自国の変調方式に従うドライブにて記録を行えば良く、そのドライブに変調方式が１系統しか配備されていない場合にも、それを用いて記録を行えば良いこととなる。
【００２７】
このように、第１０の態様によれば、第１および第２の変調方式の何れによって記録が行われたとしても、当該光ディスクの再生を円滑に進めることができるため、情報を記録したディスクを他国から受けるような場合にも、記録側では、その国で普及しているディスク、すなわち、その国の変調方式に従ってシステムリードイン情報が変調されて記録された光ディスクを用いることができる。よって、変調方式が異なる自国−他国間で、光ディスクを円滑に流通させることができる。
【００２８】
本発明の第１１の態様は、第１０の態様に係る光ディスク装置において、前記データリードイン情報には、前記第２の復調方式に対応する変調方式に従って記録が行われたかを識別するための識別情報が含められており、前記選択制御部は、前記第２の復調部を用いてデータリードイン情報を復調でき、且つ、復調した前記データリードイン情報中に前記第２の復調方式に対応する変調方式に従って記録が行われたことを識別するための識別情報が含まれている場合に、前記第２の復調部を再生用として選択することを特徴とする。
【００２９】
この態様によれば、識別情報をもとに、第２の復調部を再生用として選択するのが適正かを確かめることができ、よって、その後の再生を円滑かつ適正に進めることができる。
【発明の効果】
【００３０】
以上のとおり、本発明によれば、国または地域によって変調方式が異なる場合にも、これらの国または地域間で、記録可能なディスクを円滑に流通させ得る光ディスク装置および情報記録方法を提供することができる。
【００３１】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態によって何ら制限されるものではない。
【発明を実施するための最良の形態】
【００３２】
以下、本発明の実施の形態につき図面を参照して説明する。本実施の形態は、記録可能なＨＤ−Ｒに対して情報を記録する光ディスク装置に本発明を適用したものである。本実施の形態において用いるＨＤ−Ｒは、通常のＨＤ規格に従うものである。なお、本実施の形態において、「ＨＤ規格」とは通常のＨＤ規格を指すものであり、中国国内で適用されるＨＤ規格は、先に定義したとおり、特に「ＣＨＤ規格」と称することとする。
【００３３】
まず、図１および図２に、ディスク１０のエリアフォーマットを示す。
【００３４】
ディスク１０は、内周から順に、クランプ領域１１、バーストカッティング領域（ＢＣＡ）１２、システムリードイン領域１３、データ領域１４、データリードアウト領域１５にエリア分割されている。
【００３５】
ＢＣＡ１２には、ＨＤ規格に従う形態にて、所定の情報が記録されている。具体的には、平坦な記録層をディスク円周方向に沿って間欠的に消失させることにより、BCA_IDや、当該ディスクが準拠する規格書のブック番号（ブックバージョン）等の情報が記録されている。また、ＢＣＡ１２にはディスクの種類も記録されており、この情報に基づいて、ブックバージョンと合わせてディスクの種類を特定することができる。なお、記録層の消失は、高パワーレーザを用いて記録層を焼き切る方法等によって行われる。
【００３６】
ＢＣＡ１２上にビームスポットを位置づけると、その反射光には、記録層の消失部分と非消失部分に応じて、明暗が生じる。この明暗の変化を復調することにより、ＢＣＡ１２に記録された情報が再生される。
【００３７】
システムリードイン領域１３には、記録層上に螺旋状にピット列を配列することにより、当該ディスクの物理パラメータ（ピットサイズ、トラックピッチ、等）に関する情報等が記録されている。システムリードイン領域１３に記録される情報の詳細は、追って、図３を参照して説明する。なお、システムリードイン領域１３には、グルーブは形成されておらず、ピット列のみが形成されている。
【００３８】
データ領域１４には、螺旋状にグルーブが形成されている。このグルーブ上に、種々のデータが記録される。グルーブは、径方向に蛇行（ウォブル）しており、このウォブルによって物理アドレスが保持されている。すなわち、物理アドレスを保持する位相変調区間が、単調蛇行区間中に一定周期で挿入されており、かかる位相変調区間をビームが走査するとき、その反射光強度の変化からグルーブ上の物理アドレスが読み取られ再生される。なお、データの記録は、ディスク内周側から外周に向かって行われる。
【００３９】
データリードアウト領域１５には、データ領域１４と同様、螺旋状のグルーブが形成されている。また、このグルーブも、データ領域１４と同様、ディスク径方向に蛇行（ウォブル）している。データリードアウト領域１５には、ＨＤ規格に従ってゾーンが設定されるが、ユーザデータは記録されない。データリードアウト領域１５には、そこがデータリードアウト領域であることを示す情報と論理アドレスが記録されている。
【００４０】
システムリードイン領域１３は、ディスクの初期物理情報等の読み出しを容易にするため、トラックピッチが広く設定されている。尚、本実施の形態にて用いたディスクの物理パラメータを表１に示す。
【００４１】
【表１】
2009238321.tif 000003
【００４２】
図２に示すように、データ領域１４の最内周部にはデータリードイン領域１４ａが割り当てられ、このデータリードイン領域１４ａよりも外側にユーザデータを記録するためのユーザデータ領域１４ｂが割り当てられる。なお、システムリードイン領域１３には、システムリードイン情報がＥＴＭによる変調方式にて変調されて記録されている（ピット列によるプリレコード）。データ領域１４とデータリードアウト領域１５に対する記録時の変調方式は、ＥＴＭとＦＳＭの間で、ユーザが任意に選択できる。
【００４３】
図３に、システムリードイン領域１３のデータフォーマットを示す。
【００４４】
図示の如く、システムリードイン領域１３の初期物理情報は、イニシャルゾーン、バッファゾーン、コントロールデータゾーン、バッファゾーンに区分される。このうち、コントロールデータゾーンに、物理パラメータ等のデータが保持される。すなわち、コントロールデータゾーンは、コントロールデータセクション、コピーライトデータセクション、リザーブセクション、コントロールデータセクション、コピーライトデータセクションに区分される。２つのコントロールデータセクション、コピーライトデータセクションには、同じ情報が保持される。
【００４５】
このうち、コントロールデータセクションに、規格書のBookバージョン情報や、記録パワー情報、記録開始位置情報等の物理パラメータ情報が保持される。この他、コントロールデータセクションには、ディスク製造者を特定するディスク製造情報や、コピープロテクション情報、アンプレイアブルドライブマニュファクチャＩＤが保持され、さらに、リザーブエリアが設定されている。このうち、物理パラメータ情報とディスク製造情報が、データリードイン情報にコピーされ、データリードイン領域１４ａに記録される。なお、当該コピーの際、物理パラメータ情報の一部が他の情報に書き換えられる。
【００４６】
図４に、データリードイン領域１４ａのデータフォーマットを示す。
【００４７】
図示の如く、データリードイン領域１４ａに記録されるデータリードイン情報は、ガードゾーンと、ディスクメーカテストゾーンと、ドライブメーカテストゾーンと、ガードゾーンと、ＲＭＤ（Recording Management Data）管理ゾーンと、記録情報管理ゾーンと、物理パラメータ情報ゾーンと、信号ゾーンに区分される。このうち、物理パラメータ情報ゾーンに、図４中の（Ａ）に示す如く、更新物理パラメータ情報とディスク製造情報が保持される。
【００４８】
更新物理パラメータ情報は、システムリードイン情報中に含まれた物理パラメータ情報（図３参照）の一部を他の情報に書き換えたものである。また、ディスク製造情報は、システムリードイン情報中に含まれたディスク製造情報（図３参照）をそのままコピーしたものである。
【００４９】
ガードゾーンは、光ディスク装置が暴走するのを防ぐ目的で設けられる。ディスクメーカテストゾーンとドライブテストゾーンは、それぞれ、ディスクメーカや光ディスク装置にて最適記録条件を確認するテスト記録を行うための領域である。ＲＭＤ管理ゾーンには、最新のＲＭＤ情報がディスクのどの位置に記録されているかを示す情報を記録するために設けられている。記録情報管理ゾーンは、追記等で記録情報が更新される毎に更新され、ディスクの使用状態等が記録される。
【００５０】
図５に、データリードイン情報に含められる更新物理パラメータ情報の構成を示す。
【００５１】
図示の如く、システムリードイン情報中の物理パラメータ情報は、２０４８バイトで構成されている。同図中の“システムリードイン”の欄には、各バイトに保持される情報の種類が抜粋して示されている。システムリードイン情報の９−１１バイト目には、ユーザデータ領域１４ｂの記録可能な最外周のＰＳＮ（Physical Sector Number）が保持されている。また、システムリードイン情報の２７バイト目には、当該ディスクが準拠するブックバージョンが保持されている。なお、リザーブに対応するバイトは“０”が記録されている。
【００５２】
データリードイン情報中の更新物理パラメータ情報のうち、図中、矢印で示すデータ項目は、システムリードイン情報中の物理パラメータ情報からそのままコピーされる。ＨＤ規格に従う従来の更新物理パラメータ情報では、同図中の“従来の更新物理パラメータ”の欄に示すとおり、システムリードイン情報中の１０バイト目の情報が、ユーザデータ領域のうち記録を行った領域の最終ＰＳＮに書き換えられ、また、システムリードイン情報中の２５６−２６３バイト目（リザーブ）に、記録単位の区切りを示すBorderゾーンのスタートアドレスが追加される。ブックバージョンは、書き換えられずにそのままデータリードイン情報中の更新物理パラメータ情報にコピーされる。
【００５３】
これに対し、本実施の形態では、同図中の“実施形態の更新物理パラメータ”の欄に示すとおり、更新物理パラメータ情報中の２８−３１バイト目（リザーブ）に、さらに、ＦＳＭ識別情報が追加される。ＦＳＭ識別情報は、データ領域１４に対する情報の記録がＦＳＭによる変調方式によって行われたことを示す情報である。この場合、ＦＳＭ識別情報として、たとえば、ＣＨＤ規格に対応するブックバージョン（アップデートブックバージョン）が用いられる。
【００５４】
なお、このＦＳＭ識別情報は、データ領域１４に対する情報の記録がＦＳＭによる変調方式によって行われた場合にのみ更新物理パラメータに含められ、データ領域１４に対する情報の記録がＥＴＭによる変調方式によって行われた場合には、更新物理パラメータの２８−３１バイト目は、“００”のままとされる。
【００５５】
このようにして生成された更新物理パラメータ情報が、図４中の（Ａ）に示す更新物理パラメータ情報の格納領域に保持される。そして、これを含むデータリードイン情報が、データリードイン領域１４ａに記録される。
【００５６】
なお、図４中の（Ｂ）に示す如く、システムリードイン情報中の物理パラメータ情報とディスク製造情報をデータリードイン情報内の物理パラメータ情報ゾーンにそのままコピーし、図５の最右欄の構成を有する更新物理パラメータ情報を物理パラメータ情報ゾーン中のリザーブ領域に保持させるようにしても良い。
【００５７】
なお、図５の例では、データ領域１４に対する情報の記録がＦＳＭによる変調方式によって行われた場合に、別途、ＦＳＭ識別情報を更新物理パラメータ情報に含めるようにしたが、こうするに替えて、更新物理パラメータ情報の２７バイト目にあるブックバージョンを、直接、ＣＨＤ規格に対応するブックバージョンに書き換えるようにしても良い。あるいは、ＦＳＭ識別情報の記録のために、更新物理パラメータ情報中の他のリザーブ領域を用いても良く、さらには、図４中の（Ａ）または（Ｂ）に示す他のリザーブ領域を用いてＦＳＭ識別情報を記録するようにしても良い。
【００５８】
図６に、本実施の形態に係る光ディスク装置の構成を示す。なお、同図には、記録および再生に関連する回路系のみが示されている。
【００５９】
同図において、エンコーダ２０１は、記録データに対し誤り訂正符号を付加する等のエンコード処理を行う。スイッチング回路２０２は、コントローラ２１５からの指令に応じて、エンコーダ２０１からの信号を第１の変調回路２０３ａまたは第２の変調回路２０３ｂの何れか一方に供給する。
【００６０】
第１の変調回路２０３ａは、入力された信号に対しＥＴＭに従う変調を施す。第２の変調回路２０３ｂは、入力された信号に対しＦＳＭに従う変調を施す。スイッチング回路２０４は、コントローラ２１５からの指令に応じて、第１の変調回路２０３ａまたは第２の変調回路２０３ｂの何れか一方からの信号をレーザ駆動回路２０５に供給する。レーザ駆動回路２０５は、コントローラ２１５からの指令に応じて、光ピックアップ装置２０６内の半導体レーザを駆動する。すなわち、記録時にはスイッチング回路２０４から入力される信号にて変調された高パワーのレーザ光を光ピックアップ装置２０６から出力させ、再生時には記録パワーよりも低い一定レベルのレーザ光を光ピックアップ装置２０６から出力させる。
【００６１】
光ピックアップ装置２０６は、レーザ光をディスク１０上に集光させるための光学系および対物レンズアクチュエータと、ディスク１０からの反射光を受光する光検出器を備えている。光ピックアップ装置２０６は、ピックアップ送り機構（図示せず）によって、ディスク１０の径方向に移動可能に支持されている。
【００６２】
信号演算回路２０７は、光ピックアップ装置２０６内の光検出器からの信号を演算処理して、各種信号（再生ＲＦ信号、フォーカスエラー信号、トラッキングエラー信号、等）を生成し、それぞれ対応する回路に供給する。
【００６３】
サーボ回路２０８は、信号演算回路２０７から入力されたフォーカスエラー信号およびトラッキングエラー信号からフォーカスサーボ信号およびトラッキングサーボ信号を生成し、光ピックアップ装置２０６内の対物レンズアクチュエータに供給する。
【００６４】
スイッチング回路２０９は、コントローラ２１５からの指令に応じて、信号演算回路２０７から入力された再生ＲＦ信号を、第１の復調回路２１０ａと第２の復調回路２１０ｂの何れか一方に供給する。
【００６５】
第１の復調回路２１０ａは、入力された再生ＲＦ信号に対しＥＴＭ変調による符号変換処理と逆の変換処理を施してデータ列を生成し、生成したデータ列をスイッチング回路２１１に出力する。第２の復調回路２１０ｂは、入力された再生ＲＦ信号に対しＦＳＭ変調による符号変換処理と逆の変換処理を施してデータ列を生成し、生成したデータ列をスイッチング回路２１１に出力する。
【００６６】
スイッチング回路２１１は、コントローラ２１５からの指令に応じて、第１の復調回路２１０ａおよび第２の復調回路２１０ｂから入力された復調データのうち何れか一方をデコーダ２１２に出力する。デコーダ２１２は、スイッチング回路２１１から入力された復調データをデコード処理して再生データを生成し、生成した再生データを後段回路に出力する。また、デコーダ２１２は、システムリードイン情報やデータリードイン情報等のサブ情報をコントローラ２１５に供給する。
【００６７】
入力ＩＦ（Inter Face）２１３は、操作キーやリモコン等を介してユーザから入力された情報をコントローラ２１５に供給する。出力ＩＦ２１４は、コントローラ２１５から出力される報知のための信号をモニタやスピーカに出力する。
【００６８】
コントローラ２１５は、ＭＰＵ（Micro Processing Unit）とメモリを備え、メモリに格納された制御プログラムに応じて各部を制御する。コントローラ２１５は、データリードイン情報等のサブ情報を生成してエンコーダ２０１に供給する。この他、ユーザに対する問い合わせやユーザが選択入力するための画像や音声を、出力ＩＦ２１５を介して、モニタやスピーカから出力させる。
【００６９】
図６の構成において、記録の際の変調方式としてＥＴＭを用いる場合には、コントローラ２１５は、記録データがエンコーダ２０１、第１の変調回路２０３ａおよびレーザ駆動回路２０５の処理ルートに従って処理されるように、２つのスイッチング回路２０２、２０４を制御する。また、記録の際の変調方式としてＦＳＭを用いる場合には、コントローラ２１５は、記録データがエンコーダ２０１、第２の変調回路２０３ｂおよびレーザ駆動回路２０５の処理ルートに従って処理されるように、２つのスイッチング回路２０２、２０４を制御する。
【００７０】
一方、ディスク１０に記録された情報が、ＥＴＭに従って変調されている場合、コントローラ２１５は、信号演算回路２０７からの再生ＲＦ信号が、第１の復調回路２１０ａおよびデコーダ２１２の処理ルートに従って処理されるように、２つのスイッチング回路２０９、２１１を制御する。また、ディスク１０に記録された情報が、ＦＳＭに従って変調されている場合、コントローラ２１５は、信号演算回路２０７からの再生ＲＦ信号が、第２の復調回路２１０ｂおよびデコーダ２１２の処理ルートに従って処理されるように、２つのスイッチング回路２０９、２１１を制御する。
【００７１】
図７は、記録動作時の処理フローを示す図である。
【００７２】
ディスク１０が装着されると、コントローラ２１５は、復調に用いる復調回路を第１の復調回路２１０ａに設定して、当該ディスク１０からシステムリードイン情報を読み出し、読み出したシステムリードイン情報をメモリに格納する（Ｓ１０１）。さらに、コントローラ２１５は、復調に用いる復調回路を第１の復調回路２１０ａに設定したまま、当該ディスク１０のデータリードイン領域１４ａに対する読み出しを実行する（Ｓ１０２）。この読み出しの際に、コントローラ２１５は、信号演算回路２０７から入力される再生ＲＦ信号をモニタし（Ｓ１０３）、当該再生ＲＦ信号に波形が現れているかを判別する（Ｓ１０４）。そして、再生ＲＦ信号に波形が現れていなければ（Ｓ１０４：ＮＯ）、当該ディスク１０は未記録ディスクであると判定する（Ｓ１０５）。
【００７３】
一方、データリードイン情報の読み出し動作時に、再生ＲＦ信号に波形が現れていれば（Ｓ１０４：ＹＥＳ）、コントローラ２１５は、デコーダ２１２からのデコード結果をもとに、データリードイン情報が適正に再生されたかを判別する（Ｓ１０６）。この判別がＹＥＳであると（Ｓ１０６：ＹＥＳ）、コントローラ２１５は、当該ディスク１０には、ＥＴＭにより変調されてユーザデータが記録されていると判定する（Ｓ１０７）。そして、その後、ユーザから記録指令が入力されるのを待つ（Ｓ１０８）。
【００７４】
一方、Ｓ１０６における判別において、データリードイン情報が適正に再生されなかったと判別すると、コントローラ２１５は、当該データリードイン情報の復調の際に第２の復調回路２１０ｂを用いたかを判別する（Ｓ１０９）。そして、第２の復調回路２１０ｂを用いていなければ（Ｓ１０９：ＮＯ）、復調に用いる復調回路を第２の復調回路２１０ｂに切り替えて（Ｓ１１０）、再度、データリードイン情報の読み取り動作を行う（Ｓ１０２）。
【００７５】
かかる読み取り動作の再試行によって、データリードイン情報が適正に再生されると（Ｓ１０６：ＹＥＳ）、コントローラ２１５は、当該ディスク１０にはＦＳＭにより変調されてユーザデータが記録されていると判定する（Ｓ１０７）。一方、この再試行によってもデータリードイン情報が適正に再生されなければ（Ｓ１０６：ＮＯ）、コントローラ２１５は、当該ディスク１０は不適正ディスクであるとして、ユーザに対し、当該ディスク１０には記録を行えない旨の報知を行う（Ｓ１０９：ＹＥＳ、Ｓ１１７）。
【００７６】
なお、かかる再試行の際の変調方式の判定処理（Ｓ１０７）において、コントローラ２１５は、データリードイン情報中に含まれた更新物理パラメータ情報（図５最右欄参照）を参照し、当該更新物理情報中の２８−３１バイト目にＦＳＭ識別情報が存在するかを調べる。そして、コントローラ２１５は、このバイト位置にＦＳＭ識別情報が含まれていれば、ユーザデータがＦＳＭにより変調されているとの判定が正しいことを確認し、他方、ＦＳＭ識別情報が含まれていなければ、当該判定が不確かであると判断する。
【００７７】
後者の場合、コントローラ２１５は、当該ディスク１０への記録を拒否する処理（Ｓ１１７）を行ってもよく、あるいは、当該ディスク１０に記録済みのユーザデータがＣＨＤ規格用のものかをユーザに問い合わせるようにしても良い。そして、この問い合わせに対するユーザからの応答が、Ｓ１０７における判定を肯定するものであれば、コントローラ２１５は、ユーザデータがＦＳＭに従って変調されているとの判定が正しいことを確認し、他方、Ｓ１０７における判定を否定するものであれば、当該判定が誤っているとして、当該ディスク１０への記録を拒否する処理（Ｓ１１７）へと移行する。あるいは、コントローラ２１５は、実際に当該レイヤーのユーザデータを第２の復調回路２１０ｂを用いて再生試行し、再生の可否に基づいて、Ｓ１０７における判定の適否を確認するようにしても良い。
【００７８】
なお、ここでは、ＦＳＭ識別情報が更新物理パラメータ情報中に含まれているとして説明がなされているが、ＦＳＭ識別情報を、図４のＲＭＤ管理ゾーン中の空き領域に含めることもできる。この場合、ユーザデータが更新記録されるたびに、ＦＳＭ識別情報がＲＭＤ管理ゾーン中の情報に含められて、データリードイン領域１４ａに記録される。
【００７９】
このとき、上記ＦＳＭ識別情報が存在するかの判断は、最後に記録されたＲＭＤ管理ゾーンの情報を参照して行われる。そして、Ｓ１０７にて変調方式がＦＳＭであると判断されたにも係わらず、最後に記録されたＲＭＤ管理ゾーン中にＦＳＭ識別情報が含まれていないような場合には、コントローラ２１５は、上記と同様、Ｓ１０７における判定が不確かであると判断し、たとえば、上記と同じく、この判定の是非を確認する問い合わせをユーザに対して投げ掛け、あるいは、実際にユーザデータを第２の復調回路２１０ｂを用いて再生してみて、Ｓ１０７における判定の適否を確認する。そして、変調方式がＦＳＭであることが確認されると、コントローラ２１５は、次回の記録動作の終了の際に、ＦＳＭ識別情報を含めてＲＭＤ管理ゾーンの情報を構成し、これを、データリードイン領域１４ａに記録する。こうすると、ユーザデータの変調方式がＦＳＭであるにも係わらず、最後に記録されたＲＭＤ管理ゾーン中にＦＳＭ識別情報が含まれていないとの不備を是正することができる。これにより、その後の記録動作が不備なく円滑に進められようになる。
【００８０】
この他、既述のように、図５に示すブックバージョンをＣＨＤ規格に対応するブックバージョンに直接書き換えることによって、ユーザデータがＦＳＭにて変調されたことを識別する方法も取られ得る。この場合には、Ｓ１０７の判定の是非は、更新物理パラメータ情報中のブックバージョンがＣＨＤ規格に対応するブックバージョンとなっているかによって行われる。この場合も、コントローラ２１５は、ＦＳＭ識別情報を参照する場合と同様、ブックバージョンがＣＨＤ規格に対応するものとなっていないときに、ユーザデータがＦＳＭにより変調されているかの確認処理を行う。
【００８１】
以上のようにして、先の記録に用いられた変調方式の判定を行った後、コントローラ２１５は、入力ＩＦ２１３を介してユーザから記録指令が入力されたかを判別する（Ｓ１０８）。そして、記録指令が入力されると（Ｓ１０８：ＹＥＳ）、コントローラ２１５は、入力ＩＦ２１３を介してユーザから指定された変調方式がＦＳＭであるか、ＥＴＭであるかを判定する（Ｓ１１１）。ここで、ＦＳＭが指定されていると（Ｓ１１１：ＹＥＳ）、コントローラ２１５は、当該ディスクにＦＳＭにてユーザデータを追記できるかを判定する（Ｓ１１２）。
【００８２】
すなわち、当該ディスク１０が未記録ディスクであるか、あるいは、Ｓ１０７における判定がＦＳＭである場合、コントローラ２１５は、当該ディスクにＦＳＭにてユーザデータを追記できると判定する（Ｓ１１２：ＹＥＳ）。そして、第２の変調回路２０３ｂを用いて変調が行われるようにスイッチング回路２０２、２０４を設定した後（Ｓ１１３）、ユーザデータの記録を行う（Ｓ１１４）。
【００８３】
他方、Ｓ１０７における判定がＥＴＭである場合、コントローラ２１５は、当該ディスクにＦＳＭにてユーザデータを追記できないと判定する（Ｓ１１２：ＮＯ）。この場合、コントローラ２１５は、変調方式を切り替えるかの問い合わせをユーザに対して行う（Ｓ１１５）。これに応じて、ユーザにより変調方式がＥＴＭに切り替えられると（Ｓ１１６：ＹＥＳ）、コントローラ２１５は、第１の変調回路２０３ａを用いて変調が行われるよう、スイッチング回路２０２、２０４を設定して（Ｓ１１９）、ユーザデータの記録を行う（Ｓ１１４）。他方、この報知によっても変調方式が切り替えられなければ（Ｓ１１６：ＮＯ）、コントローラ２１５は、当該ディスク１０に対する記録を拒否する（Ｓ１１７）。
【００８４】
Ｓ１１１における判定結果がＥＴＭである場合（Ｓ１１１:ＮＯ）、コントローラ１１５は、当該ディスクにＥＴＭにてユーザデータを追記できるかを判定する（Ｓ１１８）。当該ディスク１０が未記録ディスクであるか、あるいは、Ｓ１０７における判定がＥＴＭである場合、コントローラ２１５は、当該ディスクにＥＴＭにてユーザデータを追記できると判定する（Ｓ１１８：ＹＥＳ）。そして、第１の変調回路２０３ａを用いて変調が行われるよう、スイッチング回路２０２、２０４を設定した後（Ｓ１１９）、ユーザデータの記録を行う（Ｓ１１４）。
【００８５】
他方、Ｓ１０７における判定がＦＳＭである場合、コントローラ２１５は、当該ディスクにＥＴＭにてユーザデータを追記できないと判定する（Ｓ１１８：ＮＯ）。この場合、コントローラ２１５は、変調方式を切り替えるかの問い合わせをユーザに対して行う（Ｓ１２０）。これに応じて、ユーザにより変調方式がＦＳＭに切り替えられると（Ｓ１２１：ＹＥＳ）、コントローラ２１５は、第２の変調回路２０３ｂを用いて変調が行われるよう、スイッチング回路２０２、２０４を設定して（Ｓ１１３）、ユーザデータの記録を行う（Ｓ１１４）。他方、この報知によっても変調方式が切り替えられなければ（Ｓ１２１：ＮＯ）、コントローラ２１５は、当該ディスク１０に対する記録を拒否する（Ｓ１２２）。
【００８６】
図８は、未記録のディスク１０に最初に記録を行ったときのデータリードイン情報の記録処理を示すフローチャートである。同図（ａ）は、ＦＳＭにて記録が行われたときにシステムリードイン情報中のブックバージョンをＣＨＤ規格に対応するブックバージョンに置き換えて更新物理パラメータ情報を構成する場合の処理フロー、同図（ｂ）は、ＦＳＭにて記録が行われたときにシステムリードイン情報中の物理パラメータ情報中にＦＳＭ識別情報を含めて更新物理パラメータ情報を構成する場合の処理フローである。
【００８７】
同図（ａ）を参照して、ディスク１０に対する初回の記録動作が終了すると（Ｓ２０１：ＹＥＳ）、コントローラ２１５は、当該記録の変調方式としてＦＳＭとＥＴＭの何れを用いたかを判別する（Ｓ２０２）。ここで、変調方式としてＦＳＭが用いられていれば（Ｓ２０２：ＹＥＳ）、コントローラ２１５は、システムリードイン情報中のブックバージョンをＣＨＤ規格に対応するブックバージョンに置き換えて更新物理パラメータ情報を構成し（Ｓ２０３）、構成した更新物理パラメータ情報を含めてデータリードイン情報を生成する（Ｓ２０５）。
【００８８】
他方、変調方式としてＥＴＭが用いられていれば（Ｓ２０２：ＮＯ）、コントローラ２１５は、システムリードイン情報中のブックバージョンをＣＨＤ規格に対応するブックバージョンに置き換えずにそのままコピーして更新物理パラメータ情報を構成し（Ｓ２０４）、構成した更新物理パラメータ情報を含めてデータリードイン情報を生成する（Ｓ２０５）。こうしてデータリードイン情報を生成した後、コントローラ２１５は、生成したデータリードイン情報をデータリードイン領域１４ａに書込む（２０６）。
【００８９】
同図（ｂ）の処理では、同図（ａ）のＳ２０３、Ｓ２０４の処理ステップが、それぞれ、Ｓ２１１、Ｓ２１２の処理ステップに置き換えられる。すなわち、コントローラ２１５は、当該記録の変調方式としてＦＳＭとＥＴＭの何れを用いたかを判別する（Ｓ２０２）。ここで、変調方式としてＦＳＭが用いられていれば（Ｓ２０２：ＹＥＳ）、コントローラ２１５は、更新物理パラメータ情報中のリザーブ領域（図５参照）にＦＳＭ識別情報を含めて更新物理パラメータ情報を構成し（Ｓ２１１）、構成した更新物理パラメータ情報を含めてデータリードイン情報を生成する（Ｓ２０５）。
【００９０】
他方、変調方式としてＥＴＭが用いられていれば（Ｓ２０２：ＮＯ）、コントローラ２１５は、更新物理パラメータ情報中のリザーブ領域（図５参照）にＦＳＭ識別情報を含めずに更新物理パラメータ情報を構成し（Ｓ２１２）、構成した更新物理パラメータ情報を含めてデータリードイン情報を生成する（Ｓ２０５）。こうしてデータリードイン情報を生成した後、コントローラ２１５は、生成したデータリードイン情報をデータリードイン領域１４ａに書込む（２０６）。
【００９１】
図９は、ディスク再生時の処理を示すフローチャートである。
【００９２】
ディスク１０が装着されると、コントローラ２１５は、復調に用いる復調回路を第１の復調回路２１０ａに設定して、当該ディスク１０からシステムリードイン情報を読み出し、読み出したシステムリードイン情報をメモリに格納する（Ｓ３０１）。さらに、コントローラ２１５は、復調に用いる復調回路を第１の復調回路２１０ａに設定したまま、当該ディスク１０のデータリードイン領域１４ａに対する読み出しを実行する（Ｓ３０２）。この読み出しの際に、コントローラ２１５は、信号演算回路２０７から入力される再生ＲＦ信号をモニタし、当該再生ＲＦ信号に波形が現れているかを判別する（Ｓ３０３）。そして、再生ＲＦ信号に波形が現れていなければ（Ｓ３０３：ＮＯ）、当該ディスク１０は未記録ディスクであると判定して再生を拒否し、その旨をユーザに報知する（Ｓ３０９）。
【００９３】
一方、データリードイン情報の読み出し動作時に、再生ＲＦ信号に波形が現れていれば（Ｓ３０３：ＹＥＳ）、コントローラ２１５は、デコーダ２１２からのデコード結果をもとに、データリードイン情報が適正に再生されたかを判別する（Ｓ３０４）。この判別がＹＥＳであると（Ｓ３０４：ＹＥＳ）、コントローラ２１５は、当該ディスク１０には、ＥＴＭにより変調されてユーザデータが記録されていると判定する（Ｓ３０５）。そして、その後、ユーザから再生指令が入力されるのを待つ（Ｓ３０６）。
【００９４】
一方、Ｓ３０４における判別において、データリードイン情報が適正に再生されなかったと判別すると、コントローラ２１５は、当該データリードイン情報の復調の際に第２の復調回路２１０ｂを用いたかを判別する（Ｓ３０７）。そして、第２の復調回路２１０ｂを用いていなければ（Ｓ３０７：ＮＯ）、復調に用いる復調回路を第２の復調回路２１０ｂに切り替えて（Ｓ３０８）、再度、データリードイン情報の読み取り動作を行う（Ｓ３０２）。
【００９５】
かかる読み取り動作の再試行によって、データリードイン情報が適正に再生されると（Ｓ３０４：ＹＥＳ）、コントローラ２１５は、当該ディスク１０にはＦＳＭにより変調されてユーザデータが記録されていると判定する（Ｓ３０５）。一方、この再試行によってもデータリードイン情報が適正に再生されなければ（Ｓ３０４：ＮＯ）、コントローラ２１５は、当該ディスク１０は不適正ディスクであるとして、ユーザに対し、当該ディスク１０には記録を行えない旨の報知を行う（Ｓ３０７：ＹＥＳ、Ｓ３０９）。
【００９６】
なお、かかる再試行の際の変調方式の判定処理（Ｓ３０５）において、コントローラ２１５は、図７のＳ１０７の場合と同様、データリードイン情報中に含まれた更新物理パラメータ情報（図５最右欄参照）を参照し、当該更新物理情報中の２８−３１バイト目にＦＳＭ識別情報が存在するか、あるいは、ブックバージョンがＣＨＤ規格に対応するブックバージョンとなっているかを調べる。そして、コントローラ２１５は、このバイト位置にＦＳＭ識別情報が含まれておらず、あるいは、ブックバージョンがＣＨＤ規格に対応するブックバージョンとなっていなければ、図７の場合と同様、当該ディスク１０がＣＨＤ規格のためのものかの確認処理を行う。
【００９７】
以上のようにして、当該ディスク１０に適用された変調方式を判定した後、コントローラ２１５は、入力ＩＦ２１３を介してユーザから再生指令が入力されたかを判別する（Ｓ３０６）。そして、再生指令が入力されると（Ｓ３０６：ＹＥＳ）、コントローラ２１５は、Ｓ３０５にて判定された変調方式がＦＳＭであるか、ＥＴＭであるかに応じて、再生に用いる復調方式を決定する（Ｓ３１０）。
【００９８】
すなわち、Ｓ３０５における判定がＦＳＭである場合、コントローラ２１５は、第２の復調回路２１０ｂを用いて復調が行われるようにスイッチング回路２０９、２１１を設定した後（Ｓ３１０）、ユーザデータの再生を行う（Ｓ３１１）。他方、Ｓ３０５における判定がＥＴＭである場合、コントローラ２１５は、第１の復調回路２１０ａを用いて復調が行われるようにスイッチング回路２０９、２１１を設定して（Ｓ３１０）、ユーザデータの再生を行う（Ｓ３１１）。
【００９９】
以上、本実施の形態によれば、記録に用いる変調方式を、ＥＴＭとＦＳＭとの間で任意に選択することができる。そして、ＦＳＭに従って記録が行われた場合には、ＦＳＭ識別情報がデータリードイン情報に含められてディスクに記録され、あるいは、ブックバージョン情報がＣＨＤ規格に対応するブックバージョンに直接書き換えられてデータリードイン情報に含められる。このため、当該ディスクが、中国国内のプレーヤによって再生される場合にも、このプレーヤによってデータリードイン情報が再生されれば、その中に含まれるＦＳＭ識別情報あるいはブックバージョン情報をもとに、当該ディスクを再生可能であることが当該プレーヤによって確認され得る。したがって、当該プレーヤは、その後の再生動作を、拒否することなく、円滑に進めることができる。
【０１００】
図１０は、更新物理パラメータ中のブックバージョンがＣＨＤ規格に対応するブックバージョンに直接書き換えられた場合の中国国内のプレーヤにおける再生処理の一例を示すフローチャートである。なお、中国国内のプレーヤには、ＦＳＭに対応する復調回路（図６の第２の復調回路２１０ｂ）のみしか存在せず、ＥＴＭに対応する復調回路（図６の第１の復調回路２１０ａ）は存在しない。
【０１０１】
ディスク１０が装着されると、プレーヤは、当該ディスク１０からシステムリードイン情報を読み取る（Ｓ４０１）。この読み取りが適正に行われれば（Ｓ４０２：ＹＥＳ）、当該ディスク１０は中国国内で流通する正規のディスクであるとして、通常の再生処理を行う。
【０１０２】
他方、システムリードイン情報を適正に読み取れなければ（Ｓ４０２：ＮＯ）、プレーヤは、当該ディスク１０のデータリードイン領域１４ａに対する読み取りを試行する（Ｓ４０３）。この試行において、データリードイン情報の読み取りを適正に行えなければ（Ｓ４０４：ＮＯ）、プレーヤは、当該ディスク１０は不適正ディスクであるとして再生を拒否し、ユーザにその旨を報知する（Ｓ４０７）。
【０１０３】
一方、データリードイン情報の読み取りを適正に行えれば（Ｓ４０４:ＹＥＳ）、プレーヤは、データリードイン情報中のブックバージョンがＣＨＤ規格に対応しているかを判別する（Ｓ４０５）。この判別がＮＯならば（Ｓ４０５：ＮＯ）、プレーヤは、当該ディスク１０は不適正ディスクであるとして再生を拒否し、ユーザにその旨を報知する（Ｓ４０７）。他方、この判別がＹＥＳならば（Ｓ４０５：ＹＥＳ）、プレーヤは、当該ディスク１０は再生可能であるとして（Ｓ４０６）、ユーザからの再生指令を待つ（Ｓ４０８）。しかる後、ユーザから再生指令が入力されると、プレーヤは、当該ディスク１０に対する再生動作を実行する（Ｓ４０９）。
【０１０４】
このように、ブックバージョンをＣＨＤ規格に対応するものに直接書き換える場合には、日本国内で流通するＨＤ−Ｒ（システムリードイン情報の変調方式がＥＴＭ）に対し、上記光ディスク装置を用いて、ＦＳＭにより記録を行った場合にも、中国国内のプレーヤにて円滑に再生が行われ得る。したがって、中国にＨＤ−Ｒを送る場合にも、日本国内のＨＤ−Ｒを用いることができ、ユーザの利便性を高めることができる。
【０１０５】
図１１は、更新物理パラメータ中のブックバージョンがＣＨＤ規格に対応するブックバージョンに直接書き換えずに、別途、ＦＳＭ識別情報をリザーブ領域に含めた場合の中国国内のプレーヤにおける再生処理の一例を示すフローチャートである。この場合、データリードイン情報中のブックバージョンがＣＨＤ規格に対応していないため、図１０のフローチャートでは、Ｓ４０５の判別がＮＯとなって、再生が拒否される（Ｓ４０７）。よって、中国国内のプレーヤにおける再生処理が図１０の再生処理から変更される必要がある。この点から、図１１のフローチャートでは、ステップ４１０が追加されている。
【０１０６】
すなわち、Ｓ４０５において、ブックバージョンがＣＨＤ規格に対応していないと判別すると（Ｓ４０５：ＮＯ）、プレーヤは、更新物理パラメータ情報中の２８−３１バイト目を参照し、このバイト位置に、ＦＳＭ識別情報（たとえば、ＣＨＤ規格に対応するブックバージョン）が含まれており、且つ、その内容が正しいかを判別する（Ｓ４１０）。この判別がＮＯならば（Ｓ４１０：ＮＯ）、プレーヤは、当該ディスク１０は不適正ディスクであるとして再生を拒否し、ユーザにその旨を報知する（Ｓ４０７）。
【０１０７】
一方、この判別がＹＥＳならば（Ｓ４１０：ＹＥＳ）、プレーヤは、当該ディスク１０は再生可能であると判定し（Ｓ４０６）、ユーザからの再生指令を待つ（Ｓ４０８）。しかる後、ユーザから再生指令が入力されると、プレーヤは、当該ディスク１０に対する再生動作を実行する（Ｓ４０９）。
【０１０８】
このように、更新物理パラメータ情報中にＦＳＭ識別情報を含める場合には、中国国内のプレーヤにおける処理をやや変更するだけで、日本国内で流通するＨＤ−Ｒ（システムリードイン情報の変調方式がＥＴＭ）にＦＳＭにて記録を行った場合にも、このＨＤ−Ｒを中国国内で円滑に再生することができる。よって、中国にＨＤ−Ｒを送る場合にも、日本国内のＨＤ−Ｒを用いることができ、ユーザの利便性を高めることができる。
【０１０９】
なお、ＦＳＭ識別情報を更新物理パラメータ情報中の他の空き領域に保持させ、あるいは、更新物理パラメータ情報中ではなくデータリードイン領域中の他の空き領域に含める場合には、Ｓ４１０の処理を、その領域にＦＳＭ識別情報が存在するかを判別する処理に変更すれば良い。こうすると、上記の場合と同様、日本国内で流通するＨＤ−Ｒに対し、上記光ディスク装置によって、ＦＳＭにて記録を行った場合にも、このＨＤ−Ｒを中国国内で円滑に再生することができる。
【０１１０】
なお、図６に示す光ディスク装置であれば、中国国内でＦＳＭによって記録が行われたＨＤ−Ｒも適宜再生可能である。この場合、コントローラ２１５は、第２の復調回路２１０ｂを用いてユーザデータの再生が行われるように制御する。また、中国国内で流通するＨＤ−Ｒのシステムリードイン情報がＦＳＭにて変調されている場合には、コントローラ２１５は、第１の復調回路２１０ａを用いてシステムリードイン情報の読み取りを試行した後、読み取りに用いる復調回路を第１の復調回路２１０ａから第２の復調回路２１０ｂに切り替えて、再度、システムリードイン情報の読み取りを試行して、システムリードイン情報を取得する。なお、このようにシステムリードイン情報を取得せずに、データリードイン情報を取得して、再生動作を進めるようにしても良い。
【０１１１】
以上、本発明の実施の形態について説明したが、本発明は上記実施の形態に何ら制限されるものではなく、また、本発明の実施形態も、上記以外に種々の変更が可能である。
【０１１２】
たとえば、上記実施の形態では、ＨＤ−Ｒを例に説明がなされたが、本発明は、ＨＤ−ＲＷに記録を行う光ディスク装置にも適宜適用可能である。また、上記実施の形態では、記録層を１層のみ有するＨＤ−Ｒを例示したが、記録層は１層に限らず、２層以上の記録層を有するＨＤ−ＲやＨＤ−ＲＷに記録を行う記録装置にも適宜適用可能である。さらに、本発明は、ＨＤ以外の光ディスク（たとえばＢＤ）に記録を行う光ディスク装置にも適宜適用可能である。
【０１１３】
本発明の実施の形態は、特許請求の範囲に示された技術的思想の範囲内において、適宜、種々の変更が可能である。
【図面の簡単な説明】
【０１１４】
【図１】実施の形態に係るディスクのエリアフォーマットを示す図
【図２】実施の形態に係るディスクのエリアフォーマットを示す図
【図３】実施の形態に係るシステムリードイン領域のデータフォーマットを示す図
【図４】実施の形態に係るデータリードイン領域のデータフォーマットを示す図
【図５】実施の形態に係る更新物理パラメータの構成を説明する図
【図６】実施の形態に係る光ディスク装置の構成を示す図
【図７】実施の形態に係る光ディスク装置の記録動作を示すフロー図
【図８】実施の形態に係るデータリードイン情報の記録動作を示すフロー図
【図９】実施の形態に係る光ディスク装置の再生動作を示すフロー図
【図１０】実施の形態に係る光ディスク装置にて記録を行ったディスクを中国国内のプレーヤで再生したときの再生動作例を示すフロー図
【図１１】実施の形態に係る光ディスク装置にて記録を行ったディスクを中国国内のプレーヤで再生したときの再生動作例を示すフロー図
【符号の説明】
【０１１５】
２０３ａ  第１の変調回路
２０３ｂ  第２の変調回路
２１３  入力ＩＦ
２１５  コントローラ  
【図１】
2009238321.tif 000004
【図２】
2009238321.tif 000005
【図３】
2009238321.tif 000006
【図４】
2009238321.tif 000007
【図５】
2009238321.tif 000008
【図６】
2009238321.tif 000009
【図７】
2009238321.tif 000010
【図８】
2009238321.tif 000011
【図９】
2009238321.tif 000012
【図１０】
2009238321.tif 000013
【図１１】
2009238321.tif 000014